(57)【要約】【課題】放送用の帯域を圧迫することなく選局情報の送受信を行うことにより、放送エリア切り替え時の画質や音質を向上させる携帯型デジタル放送受信システムを提供する。【解決手段】携帯型デジタル放送受信端末１１０は、放送局１２０から放送される地上デジタル放送を、地上デジタル放送網５１０を介して受信する。また携帯型デジタル放送受信端末１１０は、移動体通信網５２０を介して、選局情報サーバー１３０および位置情報サーバー１４０との通信を行う。選局情報サーバー１３０は、例えば放送局のカバーエリアである放送エリア毎に設置され、各チャンネルの変調方式や周波数等の、放送を受信するために必要な選局情報を提供するための装置である。また位置情報サーバー１４０は、例えば移動体通信基地局のカバーエリアである移動体通信セル毎に設置され、携帯型デジタル放送受信端末１１０の現在の位置情報を提供するための装置である。【選択図】        図１
2004282350.tif 000002
【特許請求の範囲】
【請求項１】
放送網を介して地上デジタル放送を受信するための携帯型受信端末と、
前記地上デジタル放送を受信するために必要な選局情報を第１の無線通信網を介して前記携帯型受信端末に提供する選局情報提供装置と、
前記携帯型受信端末の位置情報を第２の無線通信網を介して前記携帯型受信端末に提供する位置情報提供装置と
を備える携帯型デジタル放送受信システム。
【請求項２】
請求項１に記載の携帯型デジタル放送受信システムであって、
前記選局情報提供装置は、選局情報サーバーであり、
前記位置情報提供装置は、位置情報サーバーであり、
前記第１及び第２の無線通信網は、同一の移動体通信網である
携帯型デジタル放送受信システム。
【請求項３】
請求項１に記載の携帯型デジタル放送受信システムであって、
前記選局情報提供装置は、選局情報サーバーであり、
前記第１の無線通信網は、移動体通信網であり、
前記位置情報提供装置は、ＧＰＳ衛星であり、
前記第２の無線通信網は、ＧＰＳ通信網である
携帯型デジタル放送受信システム。
【請求項４】
請求項１に記載の携帯型デジタル放送受信システムであって、
前記選局情報提供装置は、選局情報サーバーであり、
前記位置情報提供装置は、位置情報サーバーであり、
前記第１及び第２の無線通信網は、同一の無線ＬＡＮ通信網である
携帯型デジタル放送受信システム。
【請求項５】
請求項１に記載の携帯型デジタル放送受信システムであって、
前記選局情報提供装置は、選局情報サーバーであり、
前記第１の無線通信網は、無線ＬＡＮ通信網であり、
前記位置情報提供装置は、ＧＰＳ衛星であり、
前記第２の無線通信網は、ＧＰＳ通信網である
携帯型デジタル放送受信システム。
【発明の詳細な説明】
【０００１】
【発明の属する技術分野】
本発明は地上デジタル放送の携帯型受信システムに関し、特に、携帯型受信端末の移動に伴う選局の切り替えに関する。
【０００２】
【従来の技術】
地上デジタル放送においては、放送事業者が地域により異なり、各事業者に割り当てる周波数を全国でユニークにすることができない。従って、放送局のＴＳ（トランスポート・ストリーム）単位で構成されるネットワークが１つのネットワークとして想定される。
【０００３】
一方、地上デジタル放送で伝送方式として採用しているＯＦＤＭ（直交周波数分割）伝送方式は、構成ネットワークの特性に合わせた伝送パラメータが選択可能である。上記想定ネットワークの放送エリアにおいて、デジタル放送受信端末は、全チャンネルサーチにより選局情報（周波数と伝送パラメータ）を取得して、現在位置での番組に対する選局情報のテーブルを作成する。そして選局時にはそのテーブルから選局番組に対応する周波数と、周波数に対応する伝送パラメータを参照し選局を行う。
【０００４】
しかしながら、デジタル放送受信端末が上記想定ネットワークの放送エリアから、隣接するエリアへ移動していく場合、例えば携帯型受信端末などでの受信形態では、デジタル放送受信端末が移動先エリアでの選局情報を保有しておらず、選局情報を取得するために、そのエリアにおいてチャンネルサーチを行わねばならない。このチャンネルサーチには数分間を要するのが一般的であり、この放送エリア間の移動が、テレビ放送などのサービスを受けている場合に発生すると、映像が数分間に渡ってフリーズするなどの障害を生じてしまう。
【０００５】
さらに、移動したエリアにおいて今まで受信していた系列局の番組を受信し続けるためには、チャンネルサーチ後、再度チャンネルを選択し、入力しなければならないという問題点があった。
【０００６】
上記の問題点を解決するための技術としては、例えば、特許文献１に示されたものがある。特許文献１においては、放送局が放送電波中に自局の選局情報と隣接する放送局の選局情報とを同時に放送する。一方、移動中の受信端末側では、現在の受信位置及び隣接する受信位置での選局情報を予め受信して現在位置での信号レベル低下をＢＥＲ（ビット・エラー・レート）などで検出して隣接位置での選局情報に切り替えることによってシームレスな受信及び系列局間の連続受信を実現するものである。
【０００７】
【特許文献１】
特開２００２−３５９８２５号公報
【０００８】
【発明が解決しようとする課題】
地上デジタル放送は、固定受信向け、移動体受信向け、携帯受信向けの３つの放送形態が考えられている。放送電波の帯域５．７ＭＨｚは１３のセグメントに分割される。この１３のセグメントは、例えば、１セグメントを携帯受信向け、９セグメントを固定受信向け（ハイビジョンテレビなど）、３セグメントを移動体受信向け（標準テレビなど）と割り当てて放送サービスを実施する。このように携帯受信用では割り当てられる放送帯域が比較的に小さいので、選局情報等の受信に関する情報に放送帯域を使用してしまうと、映像や音声のための放送帯域を圧迫し、画質や音質に影響を与えるという問題点があった。
【０００９】
本発明は以上の問題点を解決するためになされたものであり、放送用の帯域を圧迫することなく選局情報の送受信を行うことにより、放送エリア切り替え時の画質や音質を向上させる携帯型デジタル放送受信システムを提供することを目的とする。
【００１０】
【課題を解決するための手段】
請求項１に記載の発明に係る携帯型デジタル放送受信システムは、放送網を介して地上デジタル放送を受信するための携帯型受信端末と、前記地上デジタル放送を受信するために必要な選局情報を第１の無線通信網を介して前記携帯型受信端末に提供する選局情報提供装置と、前記携帯型受信端末の位置情報を第２の無線通信網を介して前記携帯型受信端末に提供する位置情報提供装置とを備える。
【００１１】
【発明の実施の形態】
＜実施の形態１＞
図１は、本発明の実施の形態１に係る携帯型デジタル放送受信システムの一例を示す構成図である。携帯型デジタル放送受信端末１１０は、放送局１２０から放送される地上デジタル放送を、地上デジタル放送網５１０を介して受信する。また携帯型デジタル放送受信端末１１０は、携帯電話やＰＨＳ等の移動体通信に用いられる移動体通信網５２０（第１及び第２の無線通信網）を介して、選局情報サーバー１３０および位置情報サーバー１４０との通信を行う。
【００１２】
位置情報サーバー１４０は、携帯型デジタル放送受信端末１１０に、現在の位置情報を提供するための装置である。位置情報サーバー１４０は、例えば移動体通信基地局のカバーエリアである移動体通信セル毎に１つずつ設置され、各移動体通信セル内で位置情報を送信している。
【００１３】
選局情報サーバー１３０は、各チャンネルの変調方式や周波数等の、放送を受信するために必要な選局情報を提供するための装置である。選局情報サーバー１３０は、例えば全放送エリアに対して１つ設置され、全放送エリア分の選局情報を備えている。
【００１４】
次に、図２に、携帯型デジタル放送受信端末１１０を構成する回路ブロック図の例を示す。放送局１２０の電波塔から放送されたデジタル放送電波は、放送受信アンテナ２１０で受信されチューナ２２０を経てＯＦＤＭ復調回路２３０にてベースバンドに変換された後に、ビタビ・ＲＳ（リード＆ソロモン）復号回路２４０で誤り訂正等を施され、ＴＳ分離回路２５０で、映像信号と、音声信号と、番組表や字幕等の情報等を含むデータ信号と、スクランブル情報等を含むＮＩＴ（ネットワーク・インフォメーション・テーブル）情報等に分離される。但しこのＮＩＴ情報には、選局情報は含まれないものとする。
【００１５】
音声信号は、音声復号回路２７０を経て音声出力回路３００よりスピーカまたはヘッドフォン端子等に出力される。映像信号は映像復号回路２６０でベースバンド映像信号に変換されて、データ復号回路２８０で復号化されたデータ信号とともにＯＳＤ（オン・スクリーン・ディスプレイ）回路３１０で合成されて表示器３２０に表示される。
【００１６】
図１の位置情報サーバー１４０から発信された位置情報は、移動体通信網５２０を経て移動体通信アンテナ３４０で受信され、移動体通信部３５０で復号された後に、位置情報取得回路３６０で、携帯型デジタル放送受信端末１１０の現在の位置情報として取得され、選局情報メモリ３３０に保存される。
【００１７】
また、図１の選局情報サーバー１３０から発信された選局情報は、移動体通信網５２０を経て移動体通信アンテナ３４０で受信され、移動体通信部３５０で復号された後に、選局情報取得回路３７０で選局情報を取得され、選局情報メモリ３３０に保存される。
【００１８】
携帯型デジタル放送受信端末１１０は、自移動体通信セル基地局およびその隣接移動体通信セル基地局から受信される信号レベルの強さを定期的に測定し、測定結果に応じて移動体通信セル基地局の切り替えを行う。このとき、選局情報メモリ３３０に保存されている携帯型デジタル放送受信端末１１０の現在の位置情報は更新される。
【００１９】
一般的に、移動体通信網５２０における移動体通信セルは、地上デジタル放送網５１０における放送エリアよりも狭い。それ故に、１つの放送エリアには複数の移動体通信セルが含まれるが、選局情報サーバー１３０は、これら複数の移動体通信セルがどの放送エリアに含まれるかに関する対応テーブルを備えている。従って、この対応テーブルを用いることにより、携帯型デジタル放送受信端末１１０は、位置情報に対応する放送エリアの選局情報を取得することができる。
【００２０】
また、位置情報取得回路３６０は、携帯型デジタル放送受信端末１１０の現在位置と移動状況（履歴）とから、これからの移動先を予測する。予測される移動先の放送エリアにおける選局情報をあらかじめ読み込んで選局情報メモリ３３０に保存しておくことにより、放送エリアの切り替えを速やかに行うことができる。放送エリアの切り替えは、選局情報メモリ３３０に保存されている選局情報を読み出しその選局情報を用いてチューナ２２０およびＯＦＤＭ復調回路２３０を制御することにより行われる。
【００２１】
前述したように、移動体通信網５２０における移動体通信セルは、地上デジタル放送網５１０における放送エリアよりも狭い。従って、移動体通信セルが切り替わるタイミングで選局情報を読み込むことにより、必要な選局情報の更新を十分に行うことができる。また、携帯型デジタル放送受信端末１１０の現在位置や移動状況を詳細に検出することができるため、移動先の予測を正確に行うことができる。
【００２２】
このように、本発明の実施の形態に係る携帯型デジタル放送受信システムにおいては、移動体通信網５２０を用いて位置情報および選局情報の送受信を行うので、放送用の帯域を圧迫することなく画質や音質を向上させることができる。また、移動先を予測し移動先のエリアにおける選局情報をあらかじめ読み込んで選局情報メモリ３３０に保存しておくことにより、放送エリアの切り替えを速やかに行うことができる。さらに、切り替えの前後の放送エリアにおいて、同一系列の放送局（系列局）により同一の番組が放送されていた場合に、中断することなく連続して番組を受信することができる。
【００２３】
なお、上記の説明においては、選局情報サーバー１３０が移動体通信網５２０に直接に接続されている例を示したが、選局情報サーバー１３０は、インターネットを介して移動体通信網５２０に接続されていてもよい。
【００２４】
＜実施の形態２＞
図３は、本発明の実施の形態２に係る携帯型デジタル放送受信システムの一例を示す構成図である。図３においては、図１における移動体通信網５２０ではなく、ＧＰＳ（Ｇｌｏｂａｌ  Ｐｏｓｉｔｉｏｎｉｎｇ  Ｓｙｓｔｅｍ）通信網５３０を用いて位置情報の取得を行っている（第２の無線通信網）。選局情報の取得は、図１と同様に移動体通信網５２０を用いて行われる（第１の無線通信網）。図４は、図２の位置情報取得回路３６０に、ＧＰＳアンテナ３８０と、ＧＰＳアンテナ３８０を介してＧＰＳ衛星から受信される内容に基づき位置情報を算出するための位置情報演算回路３９０とを接続した構成となっている。図３，４において、図１，２と同一の要素には同一符号を付しており、ここでの詳細な説明は省略する。図３では、ＧＰＳ通信網５３０を用いることで、より詳細な位置情報を取得することができるので、移動先の予測をより正確に行うことができる。また実施の形態１においては、移動体通信セルが切り替わるタイミングで選局情報を読み込むが、ＧＰＳ通信では通信セルは用いられないので、所定の時間間隔を定めその時間間隔毎に選局情報の更新を行うことになる。
【００２５】
このように、本発明の実施の形態に係る携帯型デジタル放送受信システムにおいては、ＧＰＳ通信網５３０を用いて位置情報の送受信を行っているため、移動先の予測をより正確に行うことができる。従って、実施の形態１に比べて、放送エリアの切り替えをより速やかに行うことができるという効果を有する。
【００２６】
なお、上記の説明においては、選局情報サーバー１３０が移動体通信網５２０に直接に接続されている例を示したが、実施の形態２と同様に、選局情報サーバー１３０は、インターネットを介して移動体通信網５２０に接続されていてもよい。
【００２７】
またＧＰＳ通信網からだけでなく、ＦＭ放送網からなどでも位置情報を送受信することにより、さらに位置情報の精度を上げることができる。
【００２８】
＜実施の形態３＞
図５は、本発明の実施の形態３に係る携帯型デジタル放送受信システムの一例を示す構成図である。図５においては、図１における移動体通信網５２０に代えて、ホットスポット等の無線ＬＡＮ通信網５４０を用いて、位置サーバー１４０との位置情報の送受信および選局サーバー１３０との選局情報の送受信を行っている（第１及び第２の無線通信網）。図６は、図２の移動体通信アンテナ３４０に代えて無線ＬＡＮアンテナ４００を用いて受信を行い、移動体通信部３５０に代えて無線ＬＡＮ通信部４１０を用いて復号等を行う構成となっている。図５，６において、図１，２と同一の要素には同一符号を付しており、ここでの詳細な説明は省略する。図６では、比較的に通信速度が速い無線ＬＡＮ通信網５４０を用いることにより、より速やかに位置情報を取得することができる。
【００２９】
一般的に、無線ＬＡＮ通信網５４０における無線ＬＡＮ通信セルは、地上デジタル放送網５１０における放送エリアよりも狭い。従って、実施の形態１と同様に、無線ＬＡＮ通信セルが切り替わるタイミングで選局情報を読み込むことにより、必要な選局情報の更新を十分に行うことができる。また、携帯型デジタル放送受信端末１１０の現在位置や移動状況を詳細に検出することができるため、移動先の予測を正確に行うことができる。
【００３０】
このように、本発明の実施の形態に係る携帯型デジタル放送受信システムにおいては、比較的に通信速度が速い無線ＬＡＮ通信網５４０を用いて位置情報および選局情報の送受信を行っているため、実施の形態１に比べて、放送エリアの切り替えをより速やかに行うことができるという効果を有する。
【００３１】
＜実施の形態４＞
図７は、本発明の実施の形態４に係る携帯型デジタル放送受信システムの一例を示す構成図である。図７においては、図１における移動体通信網５２０に代えて、ＧＰＳ通信網５３０を用いて位置サーバー１４０との位置情報の送受信を行い（第２の無線通信網）ホットスポット等の無線ＬＡＮ通信網５４０を用いて選局サーバー１３０との選局情報の送受信を行っている（第１の無線通信網）。即ち図７は、実施の形態３における図４と、実施の形態４における図６とを組み合わせた構成となっている。
【００３２】
また図８は、図２の位置情報取得回路３６０に、ＧＰＳアンテナ３８０と位置情報演算回路３９０とを接続し、移動体通信アンテナ３４０と移動体通信部３５０とに代えて無線ＬＡＮアンテナ４００と無線ＬＡＮ通信部４１０とをそれぞれ用いた構成となっている。即ち図９は、実施の形態３における図４と、実施の形態４における図６とを組み合わせた構成となっている。図７，８において、図１，２と同一の要素には同一符号を付しており、ここでの詳細な説明は省略する。
【００３３】
このように、本発明の実施の形態に係る携帯型デジタル放送受信システムにおいては、より詳細な位置情報を取得することができるＧＰＳ通信網５３０を用いて位置情報の送受信を行い、比較的に通信速度が速い無線ＬＡＮ通信網５４０を用いて選局情報の送受信を行っているため、実施の形態２および３と同様の効果を有する。
【００３４】
【発明の効果】
以上、説明したように、請求項１に記載の発明に係る携帯型デジタル放送受信システムは、放送網を介して地上デジタル放送を受信するための携帯型受信端末と、前記地上デジタル放送を受信するために必要な選局情報を第１の無線通信網を介して前記携帯型受信端末に提供する選局情報提供装置と、前記携帯型受信端末の位置情報を第２の無線通信網を介して前記携帯型受信端末に提供する位置情報提供装置とを備えるので、放送用の帯域を圧迫することなく画質や音質を向上させることができる。また、移動先を予測し移動先のエリアにおける選局情報をあらかじめ読み込んで保存しておくことにより、放送エリアの切り替えを速やかに行うことができる。さらに、切り替えの前後の放送エリアにおいて、同一系列の放送局（系列局）により同一の番組が放送されていた場合に、中断することなく連続して番組を受信することができる。
【図面の簡単な説明】
【図１】実施の形態１に係る携帯型デジタル放送受信システムを示す構成図である。
【図２】実施の形態１に係る携帯型デジタル放送受信端末を示す回路ブロック図である。
【図３】実施の形態２に係る携帯型デジタル放送受信システムを示す図である。
【図４】実施の形態２に係る携帯型デジタル放送受信端末を示す回路ブロック図である。
【図５】実施の形態３に係る携帯型デジタル放送受信システムを示す構成図である。
【図６】実施の形態３に係る携帯型デジタル放送受信端末を示す回路ブロック図である。
【図７】実施の形態４に係る携帯型デジタル放送受信システムを示す構成図である。
【図８】実施の形態４に係る携帯型デジタル放送受信端末を示す回路ブロック図である。
【符号の説明】
１１０  携帯型デジタル放送受信端末、１２０  放送局、１３０  選局情報サーバー、１４０  位置情報サーバー、２１０  放送受信アンテナ、２２０  チューナ、２３０  ＯＦＤＭ復調回路、２４０  ビタビ・ＲＳ復号回路、２５０  ＴＳ分離回路、２６０  映像復号回路、２７０  音声復号回路、２８０  データ復号回路、３００  音声出力回路、３１０  ＯＳＤ回路、３２０  表示器、３３０選局情報メモリ、３４０  移動体通信アンテナ、３５０  移動体通信部、３６０  位置情報取得回路、３７０  選局情報取得回路、３８０  ＧＰＳアンテナ、４００  無線ＬＡＮアンテナ、４１０  無線ＬＡＮ通信部、５１０  地上デジタル放送網、５２０  移動体通信網、５３０  ＧＰＳ通信網、５４０  無線ＬＡＮ網。
【図１】
2004282350.tif 000003
【図２】
2004282350.tif 000004
【図３】
2004282350.tif 000005
【図４】
2004282350.tif 000006
【図５】
2004282350.tif 000007
【図６】
2004282350.tif 000008
【図７】
2004282350.tif 000009
【図８】
2004282350.tif 000010